(57)【要約】【課題】本発明は、補正用渡り線を渡り用ピンに１回転させ、段部又はテーパ部を設け、浮きを防止して特性を安定化させることを目的とする。【解決手段】本発明によるレゾルバのステータ構造は、各磁極（２）に巻回したステータ巻線（５）の補正を行う補正用巻線（５Ａ）の補正用渡り線（５Ａａ）を渡り用ピン（１０）に少なくとも１回転させ、段部（１０ｂ）又はテーパ部（１０ｃ）によって浮き上がりを防止する構成である。【選択図】        図２
2004343866.tif 000002
【特許請求の範囲】
【請求項１】
所定間隔で内方に突出する磁極（２）を有する輪状ステータ体（１）と、前記輪状ステータ体（１）の両面に設けられた第１、第２輪状絶縁カバー（３、４）と、前記第１輪状絶縁カバー（３、４）に形成され軸方向に沿って突出すると共に前記各磁極（２）間に位置する渡り用ピン（１０）と、前記各磁極（２）に対し前記各輪状絶縁カバー（３、４）を介して巻回されたステータ巻線（５）とを備え、前記磁極（２）に巻回された補正用巻線（５Ａ）の補正用渡り線（５Ａａ）は前記渡り用ピン（１０）を少なくとも１回転していることを特徴とするレゾルバのステータ構造。
【請求項２】
前記渡り用ピン（１０）は、円柱状又は円弧部を有する角柱状をなすことを特徴とする請求項１記載のレゾルバのステータ構造。
【請求項３】
前記渡り用ピン（１０）は、段部（１０ｂ）又はテーパ部（１０ｃ）を有し、この段部（１０ｂ）又はテーパ部（１０ｃ）により前記補正用渡り線（５Ａａ）の浮きを防止することを特徴とする請求項１又は２記載のレゾルバのステータ構造。
【発明の詳細な説明】
【０００１】
【発明の属する技術分野】
本発明は、レゾルバのステータ構造に関し、特に、渡り用ピンに補正用巻線の補正用渡り線を少なくとも１回転させてステータ巻線の浮きを防止し、渡り用ピンの段部又はテーパ部によって浮き防止を行うための新規な改良に関する。
【０００２】
【従来の技術】
従来、用いられていたこの種のレゾルバのステータ構造としては、各磁極間を渡る補正用渡り線は、渡り用ピンの外側を添わせて張設されていた（特許文献１参照）。
すなわち、図６において、符号１で示されるものは、所定間隔で内方に向けて突出する複数の磁極２を有する輪状ステータ体であり、この輪状ステータ１の両面（図６では一面のみ）には第１、第２輪状絶縁カバー３、４が設けられている。
【０００３】
前記各磁極２には、前記各輪状絶縁カバー３、４を介してステータ巻線５が各々巻回され、各磁極２を渡るステータ巻線５の渡り線５ａは、前記第１輪状絶縁カバー３のみに一体成形され各磁極２間に位置する渡り用ピン１０の外側に沿って這わされている。
また、各磁極２に巻回されたステータ巻線５の回転方向の特性バランスを取るための補正用巻線５Ａの補正用渡り線５Ａａも渡り用ピン１０の外側を這って設けられている。
【０００４】
【特許文献１】
特開平１１−９８７４８号公報
【０００５】
【発明が解決しようとする課題】
従来のレゾルバのステータ構造は、以上のように構成されていたため、次のような課題が存在していた。
すなわち、補正用渡り線は板状に形成された渡り用ピンの外側に這わされているのみで固定されていないため、補正用渡り線が輪状絶縁カバーすなわちステータの表面から浮くことがあり、特に、各磁極に巻回したステータ巻線の円周方向の電磁的特性のバランスを取るために、一部の磁極に補正用巻線を巻き足して調整しているために、この時の補正用巻線の補正用渡り線が浮くことにより、浮きを修正しなければならなかった。また、浮き線を修正しないと、補正用巻線が断線する原因となっていた。
【０００６】
本発明は、以上のような課題を解決するためになされたもので、特に、渡り用ピンに補正用渡り線を少なくとも１回転させて補正用渡り線の浮きを防止し、さらに、渡り用ピンの段部又はテーパ部によってより確実に浮き防止を行うようにしたレゾルバのステータ構造を提供することを目的とする。
【０００７】
【課題を解決するための手段】
本発明によるレゾルバのステータ構造は、所定間隔で内方に突出する磁極を有する輪状ステータ体と、前記輪状ステータ体の両面に設けられた第１、第２輪状絶縁カバーと、前記第１輪状絶縁カバーに形成され軸方向に沿って突出すると共に前記各磁極間に位置する渡り用ピンと、前記各磁極に対し前記各輪状絶縁カバーを介して巻回されたステータ巻線とを備え、前記磁極に巻回された補正用巻線の補正用渡り線は前記渡り用ピンを少なくとも１回転している構成であり、また、前記渡り用ピンは、円柱状又は円弧部を有する角柱状をなす構成であり、また、前記渡り用ピンは、段部又はテーパ部を有し、この段部又はテーパ部により前記補正用渡り線の浮きを防止する構成である。
【０００８】
【発明の実施の形態】
以下、図面と共に本発明によるレゾルバのステータ構造の好適な実施の形態について説明する。尚、従来例と同一又は同等部分には同一符号を付して説明する。
図１において符号１で示されるものは、所定間隔で内方に向けて突出する複数の磁極２を有する輪状ステータ体であり、この輪状ステータ１の両面（図１では一面のみ）には第１、第２輪状絶縁カバー３、４が設けられている。
【０００９】
前記各磁極２には、前記各輪状絶縁カバー３、４を介してステータ巻線５が各々周知の分布巻き等で巻回され、図示しない周知のロータコアの回転により出力信号として正弦波信号が得られるように構成されている。
【００１０】
前記各磁極２に巻回された前記ステータ巻線５の渡り線５ａは、前記第１輪状絶縁カバー３のみに一体形成され各磁極２間に位置する渡り用ピン１０の外側に沿って這わされている。
【００１１】
また、各磁極２に巻回されたステータ巻線５に対して、図示しない周知のロータコアを回転させた場合に出力される前記正弦波信号の回転方向の特性バランスを取るために、各磁極２の中の一部の磁極２に対して補正用巻線５Ａを巻回し、この補正用巻線５Ａａが各磁極２間を渡る時の補正用渡り線５Ａａは、渡り用ピン１０の外側を這うのではなく少なくとも外周を一回転してから次の磁極２又はリード線２０に接続されている。
【００１２】
前記補正用渡り線５Ａａは、図２で示されるように、渡り用ピン１０に少なくとも１回転巻回してあるため、輪状ステータ体１から浮くことは少ないが、より一層、この浮きを防止するために前記渡り用ピン１０の形状を次のように変形することができる。
【００１３】
前述の図２の渡り用ピン２は、図３で示される円柱状であり、図４の形状は両側に円弧部１０ａを有する角柱状、図５は図３の形状に段部１０ｂを有し、図６は図４の形状に段部１０ｂを有し、図７は図４の形状にテーパ部１０ｃを形成した構成で、段部１０ｂ及びテーパ部１０ｃによって１回転させた補正用渡り線５Ａａの浮き上がりを防止している。尚、前述の円柱状、円弧部１０ａは巻線時の断線防止に効果的である。
【００１４】
【発明の効果】
本発明によるレゾルバのステータ構造は、以上のように構成されているため、次のような効果を得ることができる。
すなわち、補正用巻線の補正用渡り線を渡り用ピンに少なくとも１回転させているため、ステータに対する浮きを防止することができ、特性の低下を防止することができる。また、渡り用ピンに段部又はテーパ部を形成しているため、１回転させた補正用渡り線の浮きを完全に防止することができる。
【図面の簡単な説明】
【図１】本発明によるレゾルバのステータ構造を示す平面図である。
【図２】図１の要部の拡大図である。
【図３】図１の渡り用ピンを示す斜視図である。
【図４】図３の他の形態を示す斜視図である。
【図５】図３の他の形態の斜視図である。
【図６】図４の他の形態の斜視図である。
【図７】図４の他の形態の斜視図である。
【図８】従来の渡り用ピンを示す斜視図である。
【図９】従来のレゾルバのステータ構造を示す平面図である。
【符号の説明】
１    輪状ステータ体
２    磁極
３、４    第１、第２輪状絶縁カバー
５    ステータ巻線
５ａ    渡り線
５Ａａ    補正用渡り線
５Ａ    補正用巻線
１０    渡り用ピン
１０ａ    円弧部
１０ｂ    段部
１０ｃ    テーパ部
【図１】
2004343866.tif 000003
【図２】
2004343866.tif 000004
【図３】
2004343866.tif 000005
【図４】
2004343866.tif 000006
【図５】
2004343866.tif 000007
【図６】
2004343866.tif 000008
【図７】
2004343866.tif 000009
【図８】
2004343866.tif 000010
【図９】
2004343866.tif 000011